(57)【要約】【課題】電子メールに記載されているＵＲＬにアクセスすることで受信されたデータを、ＵＲＬが記載されている電子メールから簡単にアクセスできる携帯端末装置を提供する。【解決手段】携帯電話機では、ブラウザ部７が電子メールに記載されたＵＲＬに規定される他の装置にアクセスしてデータを受信すると、制御部９は、当該データを電子メールと関連付けてデータベース４に保存する。一度データがデータベース４に保存されると、次に、操作部３によって表示部５に表示された上記電子メールのＵＲＬが選択されると、データ処理部８はデータベース４を検索して上記データが保存されていることを確認し、ＵＲＬにアクセスしてデータを取得せずに、データベース４内のデータを表示部５に表示させる。【選択図】図１
2010108097.tif 000002
【特許請求の範囲】
【請求項１】
電子メールの送受信を行なう電子メール送受信手段と、
前記電子メール送受信手段で受信した電子メールを記憶する記憶手段と、
ＵＲＬ（Uniform Resource Locators）で規定される他の装置にアクセスし、前記他の装置からデータを取得する取得手段と、
前記取得手段が、前記電子メール送受信手段で受信した電子メールに記載されているＵＲＬにアクセスすることで取得したデータを、前記ＵＲＬが記載されている前記電子メールと関連付けする処理を行なう処理手段とを備える、携帯端末装置。
【請求項２】
前記処理手段は、前記取得手段が取得した前記データを、前記電子メール送受信手段で受信した前記ＵＲＬが記載されている前記電子メールと関連付けて前記記憶手段に保存し、
前記記憶手段に保存された前記電子メールに基づいて、前記電子メールに関連付けて前記記憶手段に保存された前記データにリンクするリンク手段をさらに備える、請求項１に記載の携帯端末装置。
【請求項３】
前記処理手段は、前記取得手段が取得した前記データを、前記電子メール送受信手段で受信した前記ＵＲＬが記載されている前記電子メールの添付ファイルとして前記記憶手段に保存する、請求項１に記載の携帯端末装置。
【請求項４】
受信装置から電子メールの受信要求を受付ける受付手段と、
前記電子メールに記載されているＵＲＬで規定される他の装置にアクセスし、前記他の装置からデータを取得する取得手段と、
前記電子メールを、前記取得手段で取得された前記データを添付ファイルとした、添付ファイル付きの電子メールに変換する変換手段と、
前記変換手段で変換された前記電子メールを前記受信装置に対して送信する送信手段とを備える、メールサーバ。
【発明の詳細な説明】
【技術分野】
【０００１】
この発明は携帯端末装置およびメールサーバに関し、特に、電子メール通信機能およびウェブブラウザ機能を備えた携帯端末装置および当該携帯端末装置に電子メールを送信するメールサーバに関する。
【背景技術】
【０００２】
昨今、電子メールはコミュニケーションの手段として利用されることが多く、他キャリアの携帯端末に画像メールを送ったり、ＷＥＢサービスのグリーティングメールを送ったりする利用も頻度が高くなっている。
【０００３】
これらの電子メールの特徴的な内容として、電子メールの本文にＵＲＬ（Uniform Resource Locators）が記載されている。当該電子メールを受信したユーザは、電子メールに記載されているＵＲＬにアクセスし、ブラウザを起動することで、該当する画像やグリーティングメールの内容を閲覧している。
【０００４】
また、たとえば特開２００２−９１８８２号公報や特開２００２−１７５２５３号公報などにおいて、ファイルが添付された電子メールに関して、データをＷＥＢサーバに保存し、ＵＲＬ情報を付加したメールとして送付する技術も公開されている。
【０００５】
上述の電子メールの機能において、電子メールに記載されているＵＲＬにアクセスすることで受信できるデータを一度閲覧した後に再度閲覧したい場合は、同じＵＲＬにアクセスすることで情報を取得するか、または、最初に当該ＵＲＬにアクセスすることで閲覧した画面を予め画面メモとして保存しておき、画面メモの履歴から該当する情報を探して再度閲覧するか、をすることになる。
【特許文献１】特開２００２−９１８８２号公報
【特許文献２】特開２００２−１７５２５３号公報
【発明の開示】
【発明が解決しようとする課題】
【０００６】
ここで、ＵＲＬに再度アクセスする場合は、携帯端末の圏外時は取得することができず、圏内になるまで待つしかないため、迅速にデータが得られないという問題がある。また、圏内時であっても再び通信費がかかるという問題もある。
【０００７】
また、最初に当該ＵＲＬにアクセスすることで閲覧した画面を予め画面メモとして保存した場合は、メールから辿るのではなく、保存された画面メモのリストから、ユーザの記憶を頼りに閲覧したいデータを探すことになる。そのため、ユーザの使い勝手が悪くなるという問題がある。
【０００８】
本発明はこれらの問題に鑑みてなされたものであって、電子メールに記載されているＵＲＬにアクセスすることで受信されたデータを、ＵＲＬが記載されている電子メールから簡単にアクセスできる携帯端末装置およびメールサーバを提供することを目的とする。
【課題を解決するための手段】
【０００９】
上記目的を達成するために、本発明のある局面に従うと、携帯端末装置は、電子メールの送受信を行なう電子メール送受信手段と、電子メール送受信手段で受信した電子メールを記憶する記憶手段と、ＵＲＬ（Uniform Resource Locators）で規定される他の装置にアクセスし、他の装置からデータを取得する取得手段と、取得手段が、電子メール送受信手段で受信した電子メールに記載されているＵＲＬにアクセスすることで取得したデータを、ＵＲＬが記載されている電子メールと関連付けする処理を行なう処理手段とを備える。
【００１０】
好ましくは、処理手段は、取得手段が取得したデータを、電子メール送受信手段で受信したＵＲＬが記載されている電子メールと関連付けて記憶手段に保存し、携帯電話機は、記憶手段に保存された電子メールに基づいて、電子メールに関連付けて記憶手段に保存されたデータにリンクするリンク手段をさらに備える。
【００１１】
好ましくは、処理手段は、取得手段が取得したデータを、電子メール送受信手段で受信したＵＲＬが記載されている電子メールの添付ファイルとして記憶手段に保存する。
【００１２】
本発明の他の局面に従うと、メールサーバは、受信装置から電子メールの受信要求を受付ける受付手段と、受信装置から要求された電子メールに記載されているＵＲＬで規定される他の装置にアクセスし、他の装置からデータを取得する取得手段と、受信装置から要求された電子メールを、取得手段で取得されたデータを添付ファイルとした、添付ファイル付きの電子メールに変換する変換手段と、変換手段で変換された電子メールを受信装置に対して送信する送信手段とを備える。
【発明の効果】
【００１３】
本発明によると、メールに記載されているＵＲＬにアクセスすることで受信できるデータと、ＵＲＬが記載されているメールとをリンクすることで、上記ＵＲＬに基づいてアクセスして上記データを受信した後は、ネットワークに再度アクセスすることなく、圏外時でも該当するデータにアクセスすることが可能となる。これにより、ユーザの使い勝手の向上に貢献する。
【発明を実施するための最良の形態】
【００１４】
以下に、図面を参照しつつ、本発明の実施の形態について説明する。以下の説明では、同一の部品および構成要素には同一の符号を付してある。それらの名称および機能も同じである。
【００１５】
［第１の実施の形態］
図１は、本発明にかかる携帯端末装置の、第１の実施の形態にかかる携帯電話機１００Ａの構成の具体例を示すブロック図である。図１を参照して、携帯電話機１００Ａは、アンテナ１、アンテナ１を介して図示しない無線基地局との無線信号の送受信を行なう無線部２、数字や文字等のデータ入力や機能選択等の各種指示を行なう操作部３、メールや画面メモ等の携帯電話機のデータを保持しておくデータベース４、操作部３によって入力されたデータや記憶部から読み出されたデータに基づいて表示する表示部５、メールの送受信や作成保存などの処理を行なうメール部６、ＵＲＬへのアクセスやＵＲＬから取得したデータの保存等を処理するブラウザ部７、メールやブラウザで扱うデータのリンク等を行なうデータ処理部８、機器全体の動作を制御する制御部９、および各部に電力を供給する２次電池や充電器等によって構成された電源１０を含む。携帯電話機１００Ａは、その他、制御部９で実行するためのプログラムを記憶する記憶部や、音声出力するための音声出力部などの構成を備えるものとする。また、図１に示された構成は、ハードウエアによって実現される機能であってもよいし、制御部９に含まれるＣＰＵが図示しない記憶部に記憶されるプログラムを読み出して実行することでソフトウェアとして実現される機能であってもよい。
【００１６】
携帯電話機１００Ａは、メール本文に記載されたＵＲＬ（Uniform Resource Locators）にアクセスすることで受信できるデータを、当該メールに関連付ける処理として、当該メールに関連付けた画面メモとして装置内に保存し、ユーザ指示に応じて、保存されたデータを、再度閲覧可能なように表示する処理を行なう。図２は、携帯電話機１００Ａにおける上記処理の流れの具体例を示すフローチャートである。図２のフローチャートに示される処理は、制御部９が図示しない記憶部に記憶されるプログラムを読み出して実行し、図１に示される各部を制御することによって実現される。図２のフローチャートに示される処理は、携帯電話機１００Ａで、メール部６がＵＲＬが本文に記載されたメールの本文を閲覧可能に表示部５に表示させるための処理を行ない、操作部３が表示されたＵＲＬの選択を受付けることで開始される。
【００１７】
図２を参照して、ステップＳ１１で、メール本文に記載されているＵＲＬのデータが画面メモとして装置内に保存してあるかどうか、データ処理部８がデータベース４を検索することで判定する。データベース４に保存していない場合は（ステップＳ１１でＮＯ）、ステップＳ１２で、当該ＵＲＬに基づいてデータを取得するため、無線部２が、ネットワークへのアクセスが可能か否かを判定する。ステップＳ１２でネットワークへのアクセスが不可能と判定された場合は（ステップＳ１２でＮＯ）、ステップＳ１３で制御部９は、表示部５に「ネットワークに接続できませんでした」等のポップアップを表示させるための処理を行なって表示させ、処理が終了する。
【００１８】
ステップＳ１２でネットワークへのアクセスが可能と判定された場合は（ステップＳ１２でＹＥＳ）、ステップＳ１４でブラウザ部７がＵＲＬに規定された他の装置にアクセスし、当該装置から指定されたデータを取得する。取得後、ステップＳ１５で制御部９は、表示部５にてステップＳ１４で取得されたデータを表示するための処理を行ない、表示させる。その後、ステップＳ１６でデータ処理部８が、ステップＳ１４で取得されたデータを当該メールと関連付けて、画面メモとしてデータベース４に保存するための処理を行なう。
【００１９】
以上のステップＳ１６までの処理によって、一度メール本文に記載されたＵＲＬに基づいてデータが取得されると、以降、当該メール本文を閲覧し、ＵＲＬを選択すると、ステップＳ１１でデータ処理部８が、当該ＵＲＬに基づいてすでに取得したデータが保存されていると判定することになる。そのため、２回目以降に、メール部６がＵＲＬが本文に記載されたメールの本文を閲覧可能に表示部５に表示させ、操作部３が表示されたＵＲＬの選択を受付けると、ステップＳ１１で上のように判定されて、ステップＳ１７で、データ処理部８が、データベース４から画面メモとして保存されている該当するデータを読み出して表示部５に表示させる。この結果、ユーザは、２回目以降に当該データを閲覧したい場合には、ネットワークへのアクセスが可能／不可能に依存することなく、携帯電話機１００Ａにおいて当該メール本文に記載のＵＲＬを選択する操作によって、対応するデータを閲覧することが可能となる。
【００２０】
なお、データベース４へのデータの保存形式は画面メモとする必要はなく、閲覧可能なデータであれば、どの形式でもよい。また、制御部９は、操作部３でデータベース４に保存されているメールを削除する操作を受付けた際に、当該メール自体を削除すると共に、当該メールと関連付けて画面メモ等として保存されたデータベース４内のデータも併せて削除する構成にしてもよい。
【００２１】
［第２の実施の形態］
第２の実施の形態にかかる携帯電話機１００Ｂは、メール本文に記載されたＵＲＬにアクセスすることで受信できるデータを、当該メールに関連付ける処理として、当該メールの添付データとして装置内に保存し、ユーザ指示に応じて、保存されたデータを、再度閲覧可能なように表示する処理を行なう。携帯電話機１００Ｂの構成は、図１に示された携帯電話機１００Ａの構成と同様である。図３は、携帯電話機１００Ｂにおける上記処理の流れの具体例を示すフローチャートである。図３のフローチャートに示される処理もまた、制御部９が図示しない記憶部に記憶されるプログラムを読み出して実行し、図１に示される各部を制御することによって実現される。図３のフローチャートに示される処理もまた、携帯電話機１００Ｂで、メール部６がＵＲＬが本文に記載されたメールの本文を閲覧可能に表示部５に表示させるための処理を行ない、操作部３が表示されたＵＲＬの選択を受付けることで開始される。
【００２２】
図３を参照して、ステップＳ２１で、メールの本文記載のＵＲＬのデータが当該メールの添付ファイルとして端末に保存してあるかどうか、データ処理部８がデータベース４を検索することで判定する。データベース４に保存していない場合は（ステップＳ２１でＮＯ）、ステップＳ２２で、当該ＵＲＬに基づいてデータを取得するため、無線部２が、ネットワークへのアクセスが可能か否かを判定する。ステップＳ２２でネットワークへのアクセスが不可能と判定された場合は（ステップＳ２２でＮＯ）、ステップＳ２３で制御部９は、表示部５に「ネットワークに接続できませんでした」等のポップアップを表示させるための処理を行なって表示させ、処理が終了する。
【００２３】
ステップＳ２２でネットワークへのアクセスが可能と判定された場合は（ステップＳ２２でＹＥＳ）、ステップＳ２４でブラウザ部７がＵＲＬに規定された他の装置にアクセスし、当該装置から指定されたデータを取得する。取得後、ステップＳ２５で制御部９は、表示部５にてステップＳ２４で取得されたデータを表示するための処理を行ない、表示させる。その後、ステップＳ２６でデータ処理部８が、ステップＳ２４で取得されたデータを当該メールの添付ファイルとしてデータベース４に保存するための処理を行なう（Ｓ２６）。
【００２４】
以上のステップＳ２６までの処理によって、一度メール本文に記載されたＵＲＬに基づいてデータが取得されると、以降、当該メール本文を閲覧し、ＵＲＬを選択すると、ステップＳ２１でデータ処理部８が、当該ＵＲＬに基づいてすでに取得したデータが保存されていると判定することになる。そのため、２回目以降に、メール部６がＵＲＬが本文に記載されたメールの本文を閲覧可能に表示部５に表示させ、操作部３が表示されたＵＲＬの選択を受付けると、ステップＳ２１で上のように判定されて、ステップＳ２７で、データ処理部８が、データベース４から当該メールの添付データとして保存されている該当するデータを読み出して表示部５に表示させる。この結果、ユーザは、２回目以降に当該データを閲覧したい場合には、ネットワークへのアクセスが可能／不可能に依存することなく、携帯電話機１００Ａにおいて当該メール本文に記載のＵＲＬを選択する操作によって、対応するデータを閲覧することが可能となる。
【００２５】
なお、上の例では、携帯電話機１００ＢにおいてＵＲＬに基づいて取得されたデータを当該メールの添付データとする例であるが、当該メールの添付データとする処理はメールサーバにおいて行なわれてもよい。この場合、当該メールサーバでは、以下のような処理が実行される。すなわち、メールサーバでは、当該メールの受信要求が携帯電話機１００Ｂからなされた場合、当該メール本文に記載されたＵＲＬにアクセスしてデータを取得し、取得したデータを添付データとして、当該メールを添付データ付きのメールに変換する。そして、変換された添付データ付きの当該メールを、携帯電話機１００Ｂに対して送信する。
【００２６】
さらに、上述の処理を携帯電話機１００Ａ，１００Ｂに実行させるためのプログラム、または上述のメールサーバに実行させるためのプログラムを提供することもできる。このようなプログラムは、携帯電話機や、携帯電話機に含まれるコンピュータで読取り可能な記録媒体に記録させて、プログラム製品として提供されてもよい。または、携帯電話機や、携帯電話機に含まれるコンピュータに内蔵する記録媒体にて記録させて、プログラムを提供することもできる。また、ネットワークを介したダウンロードによって、プログラムを提供することもできる。
【００２７】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００２８】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００２９】
提供されるプログラム製品は、ハードディスクなどのプログラム格納部にインストールされて実行される。なお、プログラム製品は、プログラム自体と、プログラムが記録された記録媒体とを含む。
【００３０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００３１】
【図１】本発明にかかる携帯端末装置の、実施の形態にかかる携帯電話機の構成の具体例を示すブロック図である。
【図２】第１の実施の形態にかかる携帯電話機での処理の流れの具体例を示すフローチャートである。
【図３】第２の実施の形態にかかる携帯電話機での処理の流れの具体例を示すフローチャートである。
【符号の説明】
【００３２】
１  アンテナ、２  無線部、３  操作部、４  データベース、５  表示部、６  メール部、７  ブラウザ部、８  データ処理部、９  制御部、１０  電源、１００Ａ，１００Ｂ  携帯電話機。
【図１】
2010108097.tif 000003
【図２】
2010108097.tif 000004
【図３】
2010108097.tif 000005